(57)【要約】【課題】情報を表示する方法のひとつとして画像を壁面などに投影する方法があるが、投影装置に対して投影面が平行かつ平坦である必要があり、投影面の色などにも配慮が必要である。また、画像を透過面に投影する場合には投影面自体に画像が映りこむよう手段が求められる。【解決手段】入力された画像情報を投影する画像として投影装置に送る際に、入力された画像情報を投影面に写したときに正像となるように画像を加工し、加工された画像情報を投影装置に送ることで問題の解決を図るものとする。また、出力画像のサイズや色味、あるいは歪み等を調整することで場所を選ばずに画像を出力できるようにする。凹凸のある場合には出力装置を複数とすることで死角をなくし、透過面については面自体に凹凸を施して画像が映りこむようにする。【選択図】図１
2005338151.tif 000002
【特許請求の範囲】
【請求項１】
既存の液晶プロジェクターなどの光学式の投影装置を用いて投影面に各種情報を投影する場合、投影面と映写装置が平行でなければ画像は歪みを生じるが、プロジェクターの液晶パネルの画像に操作を加えることで必要な情報を投影面に求められる像を投影する。
【請求項２】
投影面がガラス面などの透過面であっても各種情報を投影する投影面。
【請求項３】
投影面が凹凸面などの場合であっても各種情報を投影するシステム。
【発明の詳細な説明】
【技術分野】
【０００１】
本発明は凹凸のある面やガラス面などの透過面などあらゆる場所に情報を投影し、かつ必要な設備の設置場所の制約を少なくする情報投影装置に関係するものである。
【背景技術】
【０００２】
現在の液晶プロジェクターは、投影面を白色の平面をスクリーンとして用い、また投影面に対し一定の角度を超えない範囲で平衡に近い角度に本体を設置する必要があった。
【０００３】
また、投影装置本体（プロジェクター）と投影面（スクリーン）を一定以上の距離を設けて設置する必要があるために、狭い場所にプロジェクターを設置することは、困難であった。
【０００４】
しかし、現在の方法においては投影装置を投影面から距離を確保し、かつ正面に設置する必要があった。
【０００５】
この改善策として、投影したい情報を投影面との角度や傾き、凹凸、背景の色などに合わせて投影装置の液晶パネル部分の情報を調整することにより投影面と投影装置本体との位置関係の制約を減らし、投影装置からの出力画像を調整することで投影面に対して斜めになっている場合でも画像を湾曲することがないようにでき、かつ色味の調整もできるようにすることで出力しようとする画像の最適正像化ができるようにする。
【発明の開示】
【発明が解決しようとする課題】
【０００６】
解決しようとする問題点は、光軸と色味など調光を行うことが現在の投影装置の機能に含まれていないため、投影装置と投影面を調整可能な範囲に設営する必要があり、その範囲に収まらなかった場合は投影画像の湾曲などが起こる点である。また、透過面に画像を投影しようとする場合においては投影面を画像信号が透過して映らないことが勘案されるので投影面自体に工夫が必要となる点が課題として挙げられる。
【課題を解決するための手段】
【０００７】
本発明は、湾曲する画像の補正機能や色味の調節をする機能、透過投影面を含めたあらゆる投影面への投影を実現できるようにすることを特徴とする  
【発明の効果】
【０００８】
本発明の情報処理装置と投影面及び既存の液晶プロジェクターを用いることで、凹凸面や透過面を含めたあらゆる部分に画像を投影でき、また色味の調整や湾曲する画像などを正像にして画像表示ができるようになる。
【発明を実施するための最良の形態】
【０００９】
既存のプロジェクターを利用することでシステムの構成部品の点数を減らし、情報変換装置の入力部に表示したい情報を送り、変換装置内部で適正画像が得られるように入力信号を出力信号に変換した上で出力部からプロジェクターへ信号を送ることで凹凸面や正対しない位置の投影面にプロジェクターから適正な画像の投影できるようにする。また、投影装置と投影面の間に鏡面やプリズムなどを用いることで位置関係の制約をなくすことを実現した。
【実施例１】
【００１０】
図１は空間的に狭い場所に画像に大きく投影する場合や、展示用ディスプレイとしてなど使用一般を想定した実施例である。１は既存のプロジェクターであり、５の中継補助装置を投影面３との間に設ける。５に示す中継補助装置は投影面３と投影装置１が直接投影不能である場合に１からの画像情報が３に届くように画像情報を送るために取り付けられる。また、受光した画像は投影装置と投影面の距離や投影面の凹凸などの状況を中継補助装置５などに取り付けた１２の投影面情報取得部で投影面３と投影装置１及び中継補助装置５の位置関係や補助装置の状態も投影面情報ケーブル１１などを用いることで２の入力画像処理装置に送られ、正像が表示されるように入力画像処理装置２で入力された画像を処理され、４に示す画像情報送信ケーブルなどを通して１の投影装置に送られ、投影装置１から画像信号を出力し投影面３に情報が必要な形で出力される。投影面３に凹凸がある場合については投影装置や投影補助装置を複数とすることで死角を減らして解決し、また投影面３を透過面として投影する面と反対側から正像としたい場合については入力画像処理装置２で左右を逆像として変換するなどの処理をして画像投影装置１から投影する。
【実施例２】
【００１１】
図２は本発明を車載用として運転席から各種情報を視認できるように実施した例である。１〜５、１１および１２は先に示した例と同様であり、受光した画像は投影装置と投影面の距離や投影面の凹凸などの状況に応じて投影面に正像が表示されるように画像を入力画像処理装置２で変換され、投影装置から画像信号を出力し３の投影面に情報が必要な形で出力される。
【実施例３】
【００１２】
図３は投影面がガラス様の透過面に画像を投影する場合の投影面に関する仕様について断面から図示したものである。投影面６が透過面である場合には、投影面に視認に耐える画像の表示方法が必要である。その場合には８に示す透過面に波型もしくはすだれ様の状態などに加工した透明な板やシートなどを利用することで出力した画像の反射効率を高めて情報を視認できるようにする。その場合９に示すように、透過面である６と加工された投影面となる８の間に、より画像が見やすくなるようにマジックミラー様の薄膜や薄板などをはさみ込むことで反射効率と遮光機能の両方を高めるように加工を施すなどが考えられる。また、必要に応じて7に示すような遮光用保護板を設けることで投影情報が必要以上に漏れないようにする。
【実施例４】
【００１３】
図４は凹凸面に画像を投影する場合についての例である。１０に示す凹凸面に対し二台の投影装置を用いて死角をなくすように配置した例である。その場合２に示す入力画像処理装置に凹凸面の情報を２台の投影面情報取得部１２からの情報を１１に示す投影面情報ケーブルを通じて集約し、投影する画像はその情報をもとに加工されて１に示す２台の画像投影装置に画像情報送信用ケーブル４を通じてそれぞれ情報を伝達され、投影するべき画像情報を必要に応じて投影補助装置５を介し凹凸面１０に画像を正像となるよう投影することで正像の視認を可能にする。
【産業上の利用可能性】
【００１４】
設置に関する制約が少ないので床面積の広さが確保できない状態の室内や、ガラス面に投影できることを利用してショーウインドへの画像の投影などが考えられる。また、車載用として用いれば速度などの運転情報だけでなく、カーナビゲーションシステムの画像やテレビ電話の画像などの表示をすることができ、視線を視界から大きく外すことなくより快適かつ安全に運転することができる。
【図面の簡単な説明】
【００１５】
【図１】を示した説明図である。（実施例１）
【図２】を示した説明図である。（実施例２）
【図３】を示した説明図である。（実施例３）
【図４】を示した説明図である。（実施例４）
【符号の説明】
【００１６】
１    画像投影装置（プロジェクター）
２    入力画像処理装置
３    投影面
４    画像情報送信用ケーブル
５    投影補助装置
６    透過面
７    遮光用保護板
８    波型投影面
９    視認補助のための加工を施した部分
１０  凹凸面
１１  投影面情報ケーブル
１２  投影面情報取得部
【図１】
2005338151.tif 000003
【図２】
2005338151.tif 000004
【図３】
2005338151.tif 000005
【図４】
2005338151.tif 000006